(57)【要約】【課題】  下容器の前部の切欠部に背の高い容器入り食品を収納できる冷蔵庫を提供すること。【解決手段】  上容器５０の右方の前隅部を含む前端部の一部を切欠いて切欠部５６を形成すると共に、前記前隅部が前方に突出するように丸みを帯びた形状で突部５７を形成する。これにより、予備収納容器３７内の前記容器入りドレッシング３５を避けるように上容器５０を形成しても、上容器５０の右側面のフランジ部５４を可能な限り前方位置に形成できることとなり、上容器５０は安定した状態で内箱４に突設した案内レール上に乗ることとなる。【選択図】   図７
2006200889.tif 000002
【特許請求の範囲】
【請求項１】
冷蔵庫の本体前方に引出扉(11)を引いたときに下容器(30)が共に引出され、この下容器(30)が引出された状態で前後に摺動可能な上容器(50)を備えた冷蔵庫において、
前記下容器(30)の前部に背の高い容器(35)入り食品を収納できるように前記上容器(50)の前部の左右のいずれか一方を切欠いて形成した切欠部(56)と、
この切欠かれた側の前記上容器(50)の前隅が、前記切欠部(56)の最深部分より前方に突出するように形成された突部(57)とを備えたことを特徴とする冷蔵庫。
【請求項２】
前記上容器(50)の両側面(51,51)には、この上容器(50)を支持するためのフランジ部(52,53,54)が設けられていることを特徴とする請求項１に記載の冷蔵庫。
【請求項３】
前記フランジ部(52)は、前記下容器(30)により支持されることを特徴とする請求項２に記載の冷蔵庫。
【請求項４】
前記フランジ部(53,54)は、冷蔵庫本体側に設けられたガイド手段により支持されることを特徴とする請求項２に記載の冷蔵庫。
【発明の詳細な説明】
【技術分野】
【０００１】
本発明は、冷蔵庫の本体前方に扉を引いたときに下容器が前方へ引出されると
共に前記下容器が引出された状態下で該下容器上又は上方を前後に摺動可能な上
容器とを備えて成る冷蔵庫に関するものである。
【背景技術】
【０００２】
この種の冷蔵庫は、特許文献１や特許文献２などに開示されている。即ち、特許文献１には、前記下容器が引出された状態下で該下容器の上方を該下容器と独立して前後に摺動可能な上容器とを備えて成る冷蔵庫が開示されており、特許文献２には前記下容器が引出された状態下で該下容器上を前後に摺動可能な上容器とを備えて成る冷蔵庫が開示されている。
【０００３】
しかし、近年特に背の高いペットボトル商品やボトル商品の利用が著しく増加
してきており、また買い置きすることもあるので、冷蔵室の前面扉裏面のドアポ
ケットに収納するだけでは足らなくなって来ているのが現状である。
【特許文献１】特開平９−１１３１２５号公報
【特許文献２】特開平９−１３３４５８号公報
【発明の開示】
【発明が解決しようとする課題】
【０００４】
そこで本発明は、冷蔵庫の本体前方に扉を引いたときに下容器が前方へ引出されると共に前記下容器が引出された状態下で該下容器上又は上方を前後に摺動可能な上容器とを備えて成る冷蔵庫において、背の高い容器入り食品を収納できる冷蔵庫を提供することを目的とする。
つまり、上容器の一部を切欠けば、背の高い容器が入れられる収納スペースを形成することは出来るが、この切欠いた分だけ上容器のバランスが崩れ、安定して上容器を保持することが困難となる。
本願は、切欠により生じる上容器の不安定さを抑制することを目的とする。
【課題を解決するための手段】
【０００５】
このため本発明は、冷蔵庫の本体前方に扉を引いたときに下容器が前方へ引出されると共に前記下容器が引出された状態下で該下容器上又は上方を前後に摺動可能な上容器とを備えて成る冷蔵庫において、前記下容器の前部に背の高い容器入り食品を収納できるように前記上容器の前部の一部を切欠いて切欠部を形成すると共に、切り欠いた側の前隅が前方に突出するように形成したことを特徴とする。
つまり、本発明は、冷蔵庫の本体前方に引出扉(11)を引いたときに下容器(30)が共に引出され、この下容器(30)が引出された状態で前後に摺動可能な上容器(50)を備えた冷蔵庫において、前記下容器(30)の前部に背の高い容器(35)入り食品を収納できるように前記上容器(50)の前部の左右のいずれか一方を切欠いて形成した切欠部(56)と、この切欠かれた側の前記上容器(50)の前隅が、前記切欠部(56)の最深部分より前方に突出するように形成された突部(57)とを備えたことを特徴とする。
また本発明は、冷蔵庫の本体前方に扉を引いたときに下容器が前方へ引出されると共に前記下容器が引出された状態下で該下容器上又は上方を前後に摺動可能な上容器とを備えて成る冷蔵庫において、前記下容器の前部に背の高い容器入り食品を収納できるように前収納部を形成し、該前収納部に連設したその直後方の後収納部にはその前部の一部にも背の高い容器入り食品を収納できるように前部の一部を切欠いて切欠部を形成すると共に、切り欠いた側の前隅が前方に突出するように形成した前記上容器を設置したことを特徴とする。
つまり、本発明は、冷蔵庫の本体前方に引出扉(11)を引いたときに下容器(30)が共に引出され、この下容器(30)が引出された状態で前後に摺動可能な上容器(50)を備えた冷蔵庫において、前記下容器(30)の前部に背の高い容器(31)入り食品を収納できるように形成された前収納部(33)と、この前収納部(33)に連設し、その直後方の後収納部(34)と、この後収納部(34)の前部の一部にも背の高い容器(35)入り食品を収納できるように、前記上容器(50)の前部の左右のいずれか一方を切欠いて形成した切欠部(56)と、この切欠かれた側の前記上容器(50)の前隅が、前記切欠部(56)の最深部分より前方に突出するように形成された突部(57)とを備えることを特徴とする。 
更に、本発明は、前記上容器(50)の両側面(51,51)には、この上容器(50)を支持するためのフランジ部(52,53,54)が設けられていることを特徴とする。
更に、本発明は、前記フランジ部(52)は、前記下容器(30)により支持されることを特徴とする。
更に、本発明は、前記フランジ部(53,54)は、冷蔵庫本体側に設けられたガイド手段により支持されることを特徴とする。
【発明の効果】
【０００６】
以上のように本発明では、上容器５０に突部５７を設けているので、切欠部５６によって生じる上容器５０のアンバランスを低減することが出来る。たとえば、上容器は安定した状態で前後に移動可能となる。
【発明を実施するための最良の形態】
【０００７】
以下本発明の実施の形態を図面に基づき説明する。図１において、冷蔵庫１は前面を除く両側面、背面、天井面及び底面を断熱壁として構成される箱状の本体２を有する。該本体２は鋼板から成る外箱３と硬質樹脂材料から成る内箱４との間に発泡ウレタン等の断熱材５を充填して構成される。
【０００８】
前記本体２の内部は夫々仕切壁２１により冷蔵室６、野菜室７、２つの冷凍室８、９に区画されている。そして、最上部の冷蔵室６の前面開口は開閉可能な回動式の断熱扉１０により閉塞可能であり、冷蔵室６の下側の野菜室７、冷凍室８、９は引出し式の断熱扉１１、１２及び１３により夫々閉塞されている。
【０００９】
前記断熱扉１０、１１、１２及び１３は、夫々鋼板から成る扉外箱と硬質樹脂材料から成る扉内箱との間に発泡ウレタン等の断熱材を充填して構成される。
【００１０】
そして、当該冷蔵庫１には公知の冷凍サイクルユニット(図示せず)が設けられる。即ち、本体２の底部に設けられた圧縮機が冷媒を吸入圧縮して高温高圧にし、該圧縮機からの高温高圧のガス状冷媒を凝縮器が凝縮し、キャピラリーチューブにより低温低圧となった冷媒を冷気供給ダクト１４内に設けられた蒸発器が気化させるが、該蒸発器で冷却された冷気は同じく冷気供給ダクト１４内の冷気循環用送風ファン(図示せず)により冷気吹出口を介して前記冷蔵室６、野菜室７、２つの冷凍室８、９に導入される。
【００１１】
そして、前記冷蔵室６には所定間隔を存して食品を載置可能な棚板２０が３枚設けられ、最下の棚板として動作する上蓋２３の下方には食品を０℃近くで保存する氷温室２２が形成されている。該氷温室２２の前面には開閉可能な扉が設けられ、該氷温室２２には公知のスライド式保存容器２４（例えば、特開平１０−１０３８５４号公報などに開示）が備えられる。
【００１２】
次に、図２、３、４に基づき、前記野菜室７の前記断熱扉１１の裏面に設けられる合成樹脂製の上面が開口せる下容器３０について説明する。なお、容器３１，３５は、各図毎に説明を判りやすくするための配置で記載しているので、図毎にその収納位置が変わっていることを付言しておく。
【００１３】
該下容器３０の前記断熱扉１１寄りの前部には背の高い容器入りの飲料、例えば１．５リットルのペットボトル３１等を立てて収納できるようにその底面を立設した区画３２にて左右に長い前収納部３３を形成し、区画３２より後方には前記前収納部３３に隣設して且つ前収納部３３よりは底が浅い後収納部３４を形成する。
【００１４】
そして、野菜を収納する前記後収納部３４の前収納部３３寄りの前部のおよそ右半分には背の高い容器入りの食品、例えば容器入りドレッシング３５等を３本程度収納できる予備収納部を予備収納容器３７にて形成する。
【００１５】
該予備収納容器３７は図３に示すように、上面を開口し前壁３７ａよりも後壁３７ｃを高く、概ね前記後収納部３４の半分の深さ位置まで立設させ、側壁３７ｂの上端は後ろに行くに従って高くなるように前記前壁３７ａと後壁３７ｃを連結している。また、該予備収納容器３７は概ね平面視で矩形形状を呈しているが、ほぼ円柱状の容器入り食品に合わせて両後隅部は丸みを帯びた形状を呈するように形成されている。
【００１６】
４０は前記区画３２の上方にて前記前収納部３３と後収納部３４とを区画すべく前記下容器３０の左右の側壁間に設けられる支持棒で、該支持棒４０には少なくとも１以上のボトルストッパー４１が着脱可能に且つ回動可能に取付けられる。
【００１７】
該ボトルストッパー４１は、図５及び図６に示すように、前記支持棒４０に嵌合する嵌合部４２と、前記前収納部３３内のペットボトル３１や前記予備収納容器３７内の容器入りドレッシング３５を倒れないように且つ左右の移動を規制し前記下容器３０の一方の側壁や前記予備収納容器３７の一方の側壁に押し寄せて保持する保持部４３と、該保持部４３の前記嵌合部４２とは反対側の端部に設けられ前記下容器３０の前壁に当接して左右方向への移動をしにくくする摩擦係数の高い材質で形成される球状の当接部４４とから構成される。なお、この当接部４４は、熱可塑性エラストマー樹脂により成形されている。
【００１８】
尚、前記予備収納容器３７にはその前壁３７ａの上端部の一部を折り返して懸吊部３７ｄが形成され、前記支持棒４０に該懸吊部３７ｄが懸吊することにより該予備収納容器３７は保持される。
【００１９】
前記ボトルストッパー４１を前記支持棒４０に少なくとも２本取付け、前記前収納部３３や前記予備収納容器３７内に収納される容器入り食品の数に合わせて、前記支持棒４０に沿って左右方向へ移動させ、一方のストッパー４１を前方に他方のストッパー４１を後方に倒して、その保持部４３により前記下容器３０の一方の側壁や前記予備収納容器３７の一方の側壁に前記容器入り食品を押し寄せて保持できる。
【００２０】
図７、図８及び図９において、冷蔵庫１の本体２前方に前記引出扉１１を引いたときに下容器３０がガイド(図示せず)に沿って前方へ引出される。５０は前記下容器３０が引出された状態下で該下容器３０上を前後に摺動可能な上容器である。即ち、該上容器５０の両側壁５１には前記下容器３０の第１のレール４６上を摺動する第１のフランジ５２と、前記内箱４に突設した第２のレール（図示せず）上を摺動する第２のフランジ部５３、５４とが形成される。
【００２１】
即ち、引出扉１１を引くと下容器３０が共に前方へ引出されるが、下容器３０の第１のレール４６上に第１のフランジ部５２を介して上容器５０が載置され、下容器３０の第１のレール４６の前端位置の凸部４８に凹部５５が嵌合しているので、該下容器３０と共に上容器５０も前方へ引出されることとなる。
【００２２】
また、この引出した状態下で、上容器５０を後方へ押すと、内箱４に突設した第２のレール（図示せず）上に後方の第２のフランジ部５３が完全に乗り、更に押すと前方の第２のフランジ部５４が乗ることとなる。
【００２３】
上容器５０は最前位置にあるときには、前記下容器３０の第１のレール４６の前端位置の凸部４８に第１のフランジ部５２の前端の凹部５５が嵌合して上容器５０は安定した状態となる。この上容器５０が最前位置にあるときには、この上容器５０の前端の面位置はその左半分が前記区画３２のほぼ上方に位置し、右半分は前記予備収納容器３７内の容器入りドレッシング３５を避けるように形成される。
【００２４】
即ち、前記上容器５０の右方の一部を切欠いて切欠部５６を形成すると共に、上容器５０の前部右端部には前方に突出するように丸みを帯びた形状に突部５７が形成されている。
【００２５】
これにより、前記予備収納容器３７内の前記容器入りドレッシング３５を避けるように上容器５０を形成しても、上容器５０の右側面の前記他方の第２のフランジ部５４を可能な限り前方位置に形成できることとなり、該上容器５０は安定した状態で前記内箱４に突設した第２のレール（図示せず）上に乗ることとなる。
【００２６】
尚、前記下容器３０が引出された状態で、該下容器３０の上方を該下容器３０とは独立して前後に上容器を前記内箱４に突設した第２のレール上を摺動可能な構成にしても良い。この場合、前記引出扉１１を引いたときには、下容器３０は引出されるが上容器は引出されないこととなる。
【００２７】
このように、本実施形態では下容器３０の前部に背の高い容器３５入り食品を収納できるように前記上容器５０の前部の右方を切欠いて形成した切欠部５６と、この切欠かれた右側の上容器５０の前隅が、切欠部５６の最深部分より前方に突出するように形成された突部５７とを備えているので、この突出した分だけ、上容器５０のアンバランスを解消できる。しかも、この上容器５０の両側面５１に支持用のフランジ部５２，５３、５４を設ける場合は、更に効果がある。
【図面の簡単な説明】
【００２８】
【図１】本願の冷蔵庫の縦断側面図である。
【図２】本願の下容器の平面図である。
【図３】本願の下容器の縦断右側面図である。
【図４】本願の一部破断せる下容器の正面図である。
【図５】本願のボトルストッパーの斜視図である。
【図６】本願のボトルストッパーが支持棒に取付けられた状態の斜視図である。
【図７】本願の上容器の平面図である。
【図８】本願の上容器の右側面図である。
【図９】本願の上容器の正面図である。
【符号の説明】
【００２９】
１１          引出扉
３０          下容器
３３          前収納部
３４          後収納部
３７          予備収納容器
５０          上容器
５６          切欠部
５７          突部
【図１】
2006200889.tif 000003
【図２】
2006200889.tif 000004
【図３】
2006200889.tif 000005
【図４】
2006200889.tif 000006
【図５】
2006200889.tif 000007
【図６】
2006200889.tif 000008
【図７】
2006200889.tif 000009
【図８】
2006200889.tif 000010
【図９】
2006200889.tif 000011